(57)【要約】【課題】  従来の携帯情報機器では、例えば、読み方が分からない漢字に対して、その文字を入力することが困難であり、また、その文字の読み方等を知ることが困難であるという問題があった。【解決手段】  本発明の携帯電話機１では、使用者は、例えば、読み方が分からない漢字に対して、携帯電話機１に備えられたカメラ機能を利用して画像データとして取得することができる。そして、携帯電話機１では、取得した画像データに対して文字認識処理を実行し、取得した文字データをキーワードとして、該文字データに対応する関連データを検索することができる。検索された関連データに基づく関連情報は、携帯電話機１から報知されることで、使用者は、漢字の読み方が分からない場合でも、簡易な操作で文字認識処理を実行し、関連情報を取得することができる。【選択図】    図３
2005301914.tif 000002
【特許請求の範囲】
【請求項１】
撮影手段と、
前記撮影手段により取得した画像データを格納する記憶手段と、
文字データ及び該文字データに対応する関連データから成る辞書ファイルを格納する情報記憶手段と、
前記画像データに対して文字認識処理を実行し、文字認識処理結果として文字データを取得する文字認識処理手段と、
前記取得された文字データに基づき、前記辞書ファイルを検索し、該文字データの関連データを取得する辞書検索手段と、
少なくとも前記辞書検索手段により取得された前記関連データに基づく関連情報を報知する報知手段とを有することを特徴とする携帯情報機器。
【請求項２】
前記文字認識処理手段は、前記文字認識処理を実行する複数の認識方法を有し、前記複数の認識方法の中から選択された認識方法により前記画像データに対して文字認識処理を実行することを特徴とする請求項１に記載の携帯情報機器。
【請求項３】
前記報知手段は、表示手段であり、前記文字認識処理手段は文字認識処理結果として文字データ候補を取得し、前記表示手段は前記文字データ候補に基づく文字候補を表示することを特徴とする請求項１に記載の携帯情報機器。
【請求項４】
前記辞書検索手段は、前記文字データ候補の中から選択された文字データに基づいて検索を行うことを特徴とする請求項３に記載の携帯情報機器。
【請求項５】
前記表示手段は、前記関連データに基づく関連情報を表示することを特徴とする請求項３に記載の携帯情報機器。
【請求項６】
前記報知手段は、音声出力手段であり、前記音声出力手段は前記関連データに基づく関連情報の音声を出力することを特徴とする請求項１に記載の携帯情報機器。
【発明の詳細な説明】
【技術分野】
【０００１】
本発明は、文字認識処理機能を備えた携帯情報機器に関する。
【背景技術】
【０００２】
従来から、パーソナルコンピュータ等を用いた文字認識装置では、画像を処理することにより画像の中に含まれる文字を文字情報として認識する、いわゆる文字認識処理という技術があり、当該パーソナルコンピュータ等で処理可能な画像に対して文字認識処理が実行されているものがあった。そして、処理対象の文章の文字列が表示画面中央部に拡大表示され、その近接する位置に認識結果の文字列が表示されていた。そのため、使用者は、両文字列を対比し易すかった（例えば、特許文献１参照）。
【特許文献１】特開平２−８２３７９号公報（第８−１２頁、第１、２、６−７図）
【発明の開示】
【発明が解決しようとする課題】
【０００３】
携帯電話等の移動体通信端末や、ＰＤＡ（Ｐｅｒｓｏｎａｌ  Ｄｉｇｉｔａｌ  Ａｓｓｉｓｔａｎｔ）等の携帯端末に代表される、従来の携帯情報機器では、使用者は、読み方は分かるが、漢字が分からない場合には、携帯情報機器の文字変換機能を用いて、読み方から所望の漢字を検索することは容易であった。しかしながら、読み方が分からない漢字に対しては、使用者の予測に基づき読み方を入力し、文字変換機能により検索するため、所望の漢字を検索し難いという問題があった。
【０００４】
また、従来の携帯情報機器では、意味が分からない英単語を検索する際には、辞書機能を立ち上げた後、検索する英単語のスペルを入力する必要があり、使用者にとって、その一連の操作が手間であるという問題があった。
【０００５】
また、従来の携帯情報機器では、文字認識処理に関し、認識するパターンが比較的簡単であるアルファベット、記号、数字等に対しては、比較的認識精度を高く行うことが出来た。しかしながら、認識するパターンが複雑である漢字等に対しては、文字認識処理が実現され難く、また、文字認識精度が低いという問題があった。
【０００６】
本発明の携帯情報機器では、携帯情報機器に備えられたカメラ機能を利用し、読み方が分からない漢字、意味が分からない英単語等を画像データとして取得することができる。そして、該画像データに対して文字認識処理を実行し、取得した文字データに基づき、該文字データに対応する関連データを検索し、該関連データに基づく関連情報を報知することができる。尚、ここでいう「関連情報」とは、文字認識処理の結果、取得された文字データに基づく文字に対応する情報をいい、例えば、当該文字の読み方、意味、あるいは、それらの音声等をいう。
【課題を解決するための手段】
【０００７】
上述した各事情に鑑みて成されたものであり、本発明の携帯情報機器では、撮影手段と、前記撮影手段により取得した画像データを格納する記憶手段と、文字データ及び該文字データに対応する関連データから成る辞書ファイルを格納する情報記憶手段と、前記画像データに対して文字認識処理を実行し、文字認識処理結果として文字データを取得する文字認識処理手段と、前記取得された文字データに基づき、前記辞書ファイルを検索し、該文字データの関連データを取得する辞書検索手段と、少なくとも前記辞書検索手段により取得された前記関連データに基づく関連情報を報知する報知手段とを有することを特徴とする。従って、本発明の携帯情報機器では、携帯情報機器に備えられた撮像手段を介して、文字認識処理を実行する文字を画像データとして取得することができる。そして、文字認識処理手段では該画像データに対し文字認識処理を実行し、文字データを取得する。辞書検索手段では取得した文字データに対応する関連データを検索し、該関連データに基づく関連情報を報知手段により報知することができる。
【０００８】
また、本発明の携帯情報機器では、前記文字認識処理手段は、前記文字認識処理を実行する複数の認識方法を有し、前記複数の認識方法の中から選択された認識方法により前記画像データに対して文字認識処理を実行することを特徴とする。従って、本発明の携帯情報機器では、文字認識処理を実行する文字の種類に応じて、該文字に適した認識方法により文字認識処理を実行することで、文字認識処理精度を向上させることができる。尚、ここでいう「認識方法」とは、文字認識処理の際に、認識処理対象である漢字、アルファベット、数字等のそれぞれの文字の種類に適した認識手法をいい、例えば、漢字、アルファベット、数字等のそれぞれに適したアルゴリズムをいう。
【０００９】
また、本発明の携帯情報機器では、前記報知手段は表示手段であり、前記文字認識処理手段は文字認識処理結果として複数の文字データ候補を取得し、前記表示手段は前記文字データ候補に基づく文字候補を表示することを特徴とする。従って、本発明の携帯情報機器では、文字認識処理手段により取得された複数の文字データ候補に基づく文字候補を表示することができる。尚、ここでいう「文字データ候補」とは、１回の文字認識処理の際に、認識対象文字とのパターンを照合させた結果、近似したパターンの文字データのことをいい、文字データ候補としては１つ文字データが取得される場合でも、複数の文字データが取得される場合でも良い。
【００１０】
また、本発明の携帯情報機器では、前記辞書検索手段は前記文字データ候補の中から選択された文字データに基づいて対して検索を行うことを特徴とする。従って、本発明の携帯情報機器では、文字認識処理手段により取得された複数の文字データ候補の中から選択された文字データに対して、辞書検索手段により関連データを検索することができる。
【００１１】
また、本発明の携帯情報機器では、前記表示手段は前記関連データに基づく関連情報を表示することを特徴とする。従って、本発明の携帯情報機器では、辞書検索手段により検索された関連データに基づく関連情報を表示することができる。
【００１２】
また、本発明の携帯情報機器では、前記報知手段は音声出力手段であり、前記音声出力手段は前記関連データに基づく関連情報の音声を出力することを特徴とする。従って、本発明の携帯情報機器では、辞書検索手段により検索された関連データに基づく関連情報の音声を出力することができる。
【発明の効果】
【００１３】
本発明の携帯情報機器では、使用者は、読み方が分からない漢字等に対して、携帯情報機器に備えられたカメラ機能を用いて、該漢字等を画像データとして取得することができる。そして、携帯情報機器では、取得した画像データに対して文字認識処理を実行し、取得した文字データに対し、該文字データに対応する関連データを検索し、該関連データに基づく関連情報を報知手段により報知することができる。そして、使用者は、簡易な操作により、検索文字の読み方、意味、あるいはその音声等を知ることができる。
【００１４】
また、本発明の携帯情報機器では、例えば、漢字、アルファベット等の文字に適した認識方法により、文字認識処理を実行することができる。そして、当該携帯情報機器では、文字認識処理の困難な漢字等に対しても文字認識精度を向上させることができる。
【００１５】
また、本発明の携帯情報機器では、取得した画像データに対して文字認識処理を実行し、複数の文字データ候補を取得することができる。そして、該文字データ候補に基づく文字候補が表示され、使用者は、キー操作部を用いて所望の文字を選択することができる。その後、携帯情報機器では、選択された文字データに対応する関連データを検索することができる。
【発明を実施するための最良の形態】
【００１６】
以下に、本発明における一実施の形態について、図１〜図７を参照にして詳細に説明する。本発明は、任意の携帯情報機器に適用できるが、以下では、好適な実施の形態として、折り畳み可能な携帯電話機について説明する。尚、以下では折り畳み可能な携帯電話機が示されているが、この形態に限定されるものではなく、例えば、ストレート式の携帯電話機の場合でも良い。
【００１７】
先ず、図１は本発明の一実施の形態である携帯電話機の（Ａ）開いた状態での内側（キー面）から見た外観図、（Ｂ）閉じた状態での外側（背面）から見た外観図である。図２は同携帯電話機の電気的構成を説明する概略ブロック図である。
【００１８】
図１（Ａ）及び（Ｂ）に示す如く、例えば、スピーカ２は携帯電話機１の蓋部内側の上方中央に、マイク３は本体部内側の下方中央にそれぞれ配置されている。また、キー操作部５は、メニュー表示あるいは選択対象の決定を行うための決定キー５１、カメラ機能を起動させるカメラキー５２、電源投入するための電源キー５３、メール機能を起動させるメールキー５４、十字キー５５、数字入力及び文字入力を行うテンキー５６等から構成されている。
【００１９】
そして、表示部４は、スピーカ２が配置されている蓋部内側に四角形状で配置されており、第２表示部６は、四角い形状で蓋部外側の中央付近に配置されている。更に、撮像部７は、蓋部外側のヒンジ近くに配置され、使用者は閉じた状態でも第２表示部６で被写体を確認しながら撮影ができる。また、背面キー８は第２表示部６の下方に配置され、閉じた状態でシャッターキーとして使用され、使用者が自らを撮影するのに適している。一方、開いた状態で撮影する場合は、表示部４あるいは第２表示部６で被写体を確認しながら、キー操作部５の決定キー５１を押下することで撮影することができる。
【００２０】
また、撮像部７が配置された蓋部外側には、ライト９が配置されている。ライト９は、撮影時に発光することでストロボ機能として用いられる。また、ライト９は、撮影前では、一定の間、被写体を照射することで、補助光として用いられる。
【００２１】
図２に示す如く、携帯電話機１は、主に、スピーカ２、マイク３、表示部４、キー操作部５、撮像部７、アンテナ１０、制御部１１、通信制御部１２、音声処理部１３、画像制御部１４、表示制御部１５、記憶部１６、文字認識処理部１９、辞書検索部２０、バス２１等を備えている。
【００２２】
スピーカ２は、音声処理部１３から送られたアナログ信号を音声に変換し、出力する。マイク３は、外部音声を拾い、アナログ信号を音声処理部１３へと送る。音声処理部１３は、制御部１１からの制御信号に基づき、アナログ信号をデジタル信号へと変換し、あるいは、デジタル信号をアナログ信号に変換する。
【００２３】
表示部４は、液晶ディスプレイおよびＥＬ（Ｅｌｅｃｔｒｏ  Ｌｕｍｉｎｅｓｃｅｎｓｅ）ディスプレイなどで実現され、表示制御部１５を介して、送られてくる画像データに基づく画像を表示する。表示制御部１５は、制御部１１の制御信号に基づき、表示部４に表示しようとする文字データ、画像データに従って、表示部４の各画素電極に対して駆動電圧を印加する。
【００２４】
キー操作部５は、上述したように、数字および文字を入力するためのテンキー５６などから構成される。
【００２５】
撮像部７は、撮像レンズと、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。撮像部７は、被写体で反射されて撮像レンズに入射した光を、カラーフィルタを通してＲＧＢの３色光にし、ＲＧＢの３色光をそれぞれ撮像素子によって電気信号に変換する。
【００２６】
アンテナ１０は、無線電波を介して基地局と無線通信を行うときに、音声データ、文字データまたは画像データなどを送受信する。
【００２７】
制御部１１は、携帯電話機１を構成する各部位の動作を制御する。そして、制御部１１は、例えば、ＣＰＵ（Ｃｅｎｔｒａｌ  Ｐｒｏｃｅｓｓｉｎｇ  Ｕｎｉｔ）などのマイクロプロセッサを含んでいる。
【００２８】
通信制御部１２は、受信時には、制御部１１からの制御信号に基づき、受信データの中で復調した文字データ等を記憶部１６の所定の領域に格納させる。また、通信制御部１２は、送信時には、制御部１１の制御信号に基づき、文字データ等を変調して増幅し、アンテナ１０を介して基地局に送信させる。
【００２９】
画像制御部１４は、増幅部、Ａ／Ｄ（アナログ／デジタル）変換部、信号処理部からなる。増幅部は、撮像部７から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１１からの制御信号に基づいて、信号処理を施した画像データを作業用記憶部１７に送る。
【００３０】
記憶部１６は、例えば、読み出し及び書き込み可能なＲＡＭ（Ｒａｎｄａｍ  Ａｃｃｅｓｓ  Ｍｅｍｏｒｙ）から成る作業用記憶部１７、読み出し専用であるＲＯＭ（Ｒｅａｄ  Ｏｎｌｙ  Ｍｅｍｏｒｙ）から成るデータ記憶部１８等を含んでいる。
【００３１】
本実施の形態では、作業用記憶部１７には、例えば、信号処理部から送られてくる画像データ、文字認識処理部１９から送られてくる文字データ、辞書検索部２０から送られてくる関連データが所定の領域に一時的に格納される。また、データ記憶部１８には、例えば、辞書ファイル等が格納されている。そして、辞書ファイルには、国語辞書及び英語辞書に関するデータが格納されている。
【００３２】
文字認識処理部１９は、撮像部７で撮影され、作業用記憶部１７へ格納された画像データに対し文字認識処理を実行する。そして、文字認識処理部１９は文字認識処理の結果として取得した文字データを作業用記憶部１７の所定の領域に一時的に格納させる。このとき、文字認識処理部１９は、該当する文字データと併せて、近似する複数の文字データ候補を取得することもできる。そして、表示制御部１５は、例えば、表示部４に複数の文字データ候補に基づく文字候補を表示させ、使用者に文字認識処理の結果を選択させても良い。
【００３３】
本実施の形態では、文字認識処理部１９は、認識方法として、例えば、文字認識処理を実行する文字の種類毎に適したアルゴリズムを有している。そして、文字認識処理部１９は、予め、選択された認識方法により文字認識処理を実行できるので、認識パターンが複雑である漢字に対しても文字認識精度を向上させることができる。
【００３４】
辞書検索部２０は、文字認識処理部１９が取得し、作業用記憶部１７に一時的に格納した文字データをキーワードとして、辞書ファイルを検索し、該文字データに対応した読み方データ、または意味データ等を取得し、作業用記憶部１７の所定の領域に格納させる。
【００３５】
バス２１は、システムにおけるデータバス、制御信号バスとして用いられる。
【００３６】
尚、本実施の形態では、スピーカ２及び音声処理部１３は本発明の音声出力手段に対応し、表示部４及び表示制御部１５は本発明の表示手段に対応し、本発明の音声出力手段または表示手段は、それぞれ本発明の報知手段の一手段である。そして、撮像部７及び画像制御部１４は本発明の撮像手段に対応し、作業用記憶部１７は本発明の記憶手段に対応し、データ記憶部１８は本発明の情報記憶手段に対応し、文字認識処理部１９は本発明の文字認識処理手段に対応し、辞書検索部２０は本発明の辞書検索手段に対応する。但し、本実施の形態は本発明の一実施形態を例示したものであり、本発明の音声出力手段、表示手段、報知手段、撮像手段、記憶手段、情報記憶手段、文字認識処理手段、辞書検索手段は、上述した用途及び機能を果たせば良く、本発明の趣旨を逸脱しない範囲で種々の応用が可能であり、本発明が本実施の形態に限定されないことはいうまでもない。
【００３７】
図３は、本発明の携帯電話機の文字認識機能における文字認識結果の文字の読み方及び意味を報知する動作制御を説明するためのフローチャートである。図４〜図６は、同携帯電話機の文字認識機能を説明するための表示画面である。そして、図４〜図６は、図３に示すフローチャートと対応し、以下のフローチャートの説明内に、適宜、引用してフローチャートの説明を補足する。
【００３８】
図示の如く、使用者は、表示画面に従い、キー操作部５を操作し、携帯電話機１の文字認識機能を起動させる（ステップＳ１）。使用者は、表示画面に従い、キー操作部５を操作し、認識方法の選択画面を表示部４に表示させる（ステップＳ２）。上述したように、携帯電話機１では、認識方法として、例えば、漢字、アルファベット、数字等の文字認識処理を実行する文字の種類毎に適したアルゴリズムを有している。そして、使用者は、文字認識処理を実行する文字が、例えば、漢字、アルファベット、あるいは数字であるかを判断する。その後、使用者は、表示画面に従い、キー操作部５を操作し、認識方法を選択する（ステップＳ３のＹＥＳ）。
【００３９】
携帯電話機１では、制御部１１からの制御信号に基づき、選択された認識方法を作業用記憶部１７の所定の領域に一時的に格納する（ステップＳ４）。
【００４０】
尚、本実施の形態では、文字認識処理を実行する文字に適した認識方法を選択するが、この場合に限定する必要はなく、予め、設定された認識方法により文字認識処理を実行する場合でも良い。
【００４１】
次に、使用者は、表示画面に従い、キー操作部５を操作し、関連情報の選択画面を表示部４に表示させる（ステップＳ５）。上述したように、携帯電話機１では、文字認識処理により取得した文字データをキーワードとして、該文字データに対応した読み方データ、意味データ等を検索することができる。そして、使用者は、例えば、文字の読み方、あるいは、意味を検索したいのかを決定する。その後、使用者は、表示画面に従い、キー操作部５を操作し、関連情報を選択する（ステップＳ６のＹＥＳ）。
【００４２】
携帯電話機１では、制御部１１からの制御信号に基づき、選択された関連情報のデータを作業用記憶部１７の所定の領域に一時的に格納する（ステップＳ７）。
【００４３】
尚、本実施の形態では、関連情報として、例えば、文字の読み方、あるいは、意味を選択する場合を示したが、この場合に限定する必要はない。例えば、文字の読み方と意味の両者を選択する場合でも良い。
【００４４】
次に、使用者が、例えば、キー操作部５のカメラキー５２を押下し、カメラ機能を起動させる。そして、使用者は、携帯電話機１の撮像部７を、文字認識処理を実行する文字（漢字の「廣二」）に向け、表示部４に表示された画像を確認する（ステップＳ８）。そして、使用者は、表示部４に表示された画像を確認しながら、決定キー５１を押下し、撮影を行う（ステップＳ９のＹＥＳ）。
【００４５】
携帯電話機１では、制御部１１からの制御信号に基づき、撮影により取得した画像データを作業用記憶部１７の所定の領域へと一時的に格納する（ステップＳ１０）。文字認識処理部１９では、制御部１１からの制御信号に基づき、作業用記憶部１７の画像データに対し、ステップＳ５で格納された認識方法により、文字認識処理を実行する（ステップＳ１１）。そして、携帯電話機１では、制御部１１からの制御信号に基づき、文字認識処理の結果、取得された文字データ候補を作業用記憶部１７の所定の領域へと一時的に格納する（ステップＳ１２）。その後、表示制御部１５では、制御部１１からの制御信号に基づき、取得された文字データ候補の中で、第１候補の文字データに基づく文字を表示部４へと表示させる（ステップＳ１３）。
【００４６】
具体的には、図４に示す如く、表示部４には文字認識結果の第１候補である「廣二」が表示される。
【００４７】
次に、使用者は、第１候補の文字を確認し、所望の文字であるか、否かを判断する（ステップＳ１４）。そして、使用者が、所望の文字でないと判断し（ステップＳ１４のＮＯ）、文字認識結果の修正を行う場合には、例えば、表示部４に表示された次候補アイコン２２（図４参照）に対応するキー操作部５を押下する（ステップＳ１５）。
【００４８】
携帯電話機１では、制御部１１からの制御信号に基づき、作業用記憶部１７に次候補としての文字データ候補が格納されていると判断した場合には（ステップＳ１６のＹＥＳ）、表示制御部１５では、文字データ候補に基づく文字候補を表示部４へと表示させる（ステップＳ１７）。一方、携帯電話機１では、作業用記憶部１７に次候補としての文字データ候補が格納されていないと判断した場合には（ステップＳ１６のＹＥＳ）、ステップＳ９へと戻り、使用者は、再び、認識対象文字の撮影を行う。
【００４９】
次に、使用者は、表示部４に表示された次候補としての文字候補を閲覧し、キー操作部５を操作し、所望の文字をカーソル選択する。そして、使用者は、例えば、表示部４に表示された決定アイコン２４（図５参照）に対応するキー操作部５を押下する（ステップＳ１８のＹＥＳ）。
【００５０】
携帯電話機１では、制御部１１からの制御信号に基づき、文字データ候補の中から選択された文字データを作業用記憶部１７の所定の領域へと一時的に格納する（ステップＳ１９）。
【００５１】
具体的には、図５に示す如く、表示部４には、文字認識結果としての複数の文字候補が表示される。例えば、複数の文字候補の中の１つがカーソル選択されており、使用者は、キー操作部５の十字キー５５を操作することで、所望の文字を選択することができる。そして、使用者は、決定アイコン２４に対応するキー操作部５を押下することで、所望の文字を選択することができる。
【００５２】
ここで、ステップＳ１４において、同様に、使用者が、表示部４に表示された第１候補の文字を確認し、所望の文字であると判断し（ステップＳ１４のＹＥＳ）、キー操作部５の決定キー５１を押下する（ステップＳ２０）。
【００５３】
携帯電話機１では、制御部１１からの制御信号に基づき、第１候補の文字データを作業用記憶部１７の所定の領域へと一時的に格納する（ステップＳ１９）。
【００５４】
次に、使用者は、表示部４に表示された関連アイコン２１（図４参照）に対応するキー操作部５を押下する（ステップＳ２１）。
【００５５】
携帯電話機１では、制御部１１からの制御信号に基づき、作業用記憶部１７に格納されている文字データをキーワードとして、辞書検索部２０が、データ記憶部１８内の辞書ファイルを検索し、該文字データに対応する読み方データ、または意味データ等の関連データを取得する（ステップＳ２２）。
【００５６】
その後、携帯電話機１では、制御部１１からの制御信号に基づき、辞書検索部２０が取得した関連データを作業用記憶部１７の所定の領域に格納する（ステップＳ２３）。その後、携帯電話機１では、制御部１１からの制御信号に基づき、作業用記憶部１７に格納されている関連データに基づく関連情報を報知する（ステップＳ２４）。
【００５７】
具体的には、図４及び図６に示す如く、使用者が、図４の表示画面に表示された関連アイコン２１に対応するキー操作部５を押下すると、図６に示す関連情報が表示部４に表示される。本実施の形態では、例えば、人の名前である漢字に対し文字認識処理を実行したので、ステップＳ６において、読み方を選択していると、文字認識結果の「廣二」に対応する読み方として、表示画面に「こうじ」が表示される。
【００５８】
ここで、携帯電話機１での報知手段としては、表示部４に文字等を表示する場合だけに限定されるものでなく、スピーカ２から読み方の音声を出力する場合でも良い。この場合には、使用者は、漢字の読み方、意味をその音声により認識することができる。また、使用者は、英単語に対し文字認識処理を行った場合には、英単語の発音を知ることができる。そして、スピーカ２の音圧としては、イヤピースの音圧レベルよりも、着信音やアラームの音圧レベルとすることが好ましい。
【００５９】
次に、使用者は、文字認識機能を終了させるために、表示画面に従い、キー操作部５を操作すると、携帯電話機１では、制御部１１からの制御信号に基づき、文字認識機能が終了する（ステップＳ２５）。
【００６０】
上述した本実施の形態では、ステップＳ３、ステップＳ６において、文字認識処理に用いる認識方法、認識処理結果に基づき検索する関連情報をそれぞれ別操作で選択する場合について説明したが、この場合に限定するものではない。例えば、ステップＳ３、ステップＳ６における選択操作を一回の操作とする場合でも良い。この場合には、例えば、１、漢字の読み方、２、漢字の意味、３、英語の読み方、４、英語の意味、という選択肢とすることができる。使用者が選択肢１を選択すると、携帯電話機１では、文字認識処理に用いる認識方法が漢字用で、検索する関連情報が読み方というデータを作業用記憶部１７の所定の領域へと一時的に格納する。
【００６１】
また、携帯電話機１のカスタマイズ画面において、使用者が、例えば、文字認識機能を用いる場合に、文字認識処理に用いる認識方法が漢字用で、検索する関連情報が読み方からのショートカットを表示し、選択させ、上記フローチャートにおける、ステップＳ１からステップＳ７の操作を簡略化させる場合でも良い。
【００６２】
また、上述した本実施の形態では、ステップＳ１３からステップＳ１７において、先ず、表示部４に第１候補を表示させた後、次候補を表示する場合について説明したが、この場合に限定するものではない。例えば、認識処理結果を表示部４に１回で表示させる場合でも良く、また、第１候補から、順次、表示部４に表示させる場合でも良い。
【００６３】
図７は、本発明の携帯電話機の電話帳機能を説明するための表示画面である。
【００６４】
本実施の形態では、表示部４に表示された認識処理結果の文字や関連情報を、直ちに、例えば、電話帳機能の氏名、メールアドレス等の入力に利用することができる。
【００６５】
具体的には、使用者は、図４あるいは図６の表示画面において、サブメニューアイコン２３、２５に対応するキー操作部５を押下し、サブメニュー内の電話帳登録を指示すると、図７に示すように、表示部４には電話帳登録画面が表示される。そして、例えば、図４に示す画面から移行した場合には、名前欄２６に「廣二」が入力される。また、その際に、使用者は、キー操作部５を操作し、例えば、「柿本」というその他の文字も併せて入力することもできる。一方、例えば、図６に示す画面から移行した場合には、読み欄２７に「こうじ」が入力される。また、その際に、使用者は、キー操作部５を操作し、その他の文字も併せて入力することもできる。
【００６６】
尚、本実施の形態では、携帯電話機１に備えられたカメラ機能を用いて、撮影した画像データに対して文字認識処理を実行する場合について説明したが、この場合に限定する必要はない。例えば、インターネットを介してダウンロードした画像データや、他の携帯情報端末から受信した画像データに対して文字認識処理を実行する場合にも、同様に、用いることが出来る。その他、本発明の要旨を逸脱しない範囲で、種々の変更が可能である。
【図面の簡単な説明】
【００６７】
【図１】本発明の一実施の形態である携帯電話機の（Ａ）開いた状態での内側（キー面）から見た外観図、（Ｂ）閉じた状態での外側（背面）から見た外観図である。
【図２】同携帯電話機の電気的構成を説明するための概略ブロック図である。
【図３】同携帯電話機の文字認識機能における認識結果文字の読み方及び意味を報知する動作制御を説明するためのフローチャートである。
【図４】同携帯電話機の文字認識機能を説明するための表示画面である。
【図５】同携帯電話機の文字認識機能を説明するための表示画面である。
【図６】同携帯電話機の文字認識機能を説明するための表示画面である。
【図７】同携帯電話機の電話帳機能を説明するための表示画面である。
【符号の説明】
【００６８】
１  携帯電話機
２  スピーカ
４  表示部
５  キー操作部
７  撮像部
１０  アンテナ
１１  制御部
１２  通信制御部
１３  音声処理部
１５  表示制御部
１７  作業用記憶部
１８  データ記憶部
１９  文字認識処理部
２０  辞書検索部
【図１】
2005301914.tif 000003
【図２】
2005301914.tif 000004
【図３】
2005301914.tif 000005
【図４】
2005301914.tif 000006
【図５】
2005301914.tif 000007
【図６】
2005301914.tif 000008
【図７】
2005301914.tif 000009